(57)【要約】【課題】噴流浴あるいはシャワーを使用しているような入浴騒音の存在する浴室においても入浴者が明瞭に再生音を聴取でき、音響効果の優れた浴室音響システムを提供する。【解決手段】防水パン上に複数の壁パネルおよび天井パネルを組み立てて構築されるユニットバスに設置する音響システムであり、複数のスピーカユニットを所定の間隔で配列したアレイスピーカ装置を前記ユニットバスの壁面に配設し、浴室内の入浴者が在する位置に向けて前記アレイスピーカの音響ビームが形成されるようにする。【選択図】図１
2007189608.tif 000002
【特許請求の範囲】
【請求項１】
防水パン上に複数の壁パネルおよび天井パネルを組み立てて構築されるユニットバスに設置する音響システムであり、
複数のスピーカユニットを所定の間隔で配列したアレイスピーカ装置を前記ユニットバスの壁面に配設し、浴室内の入浴者が在する位置に向けて前記アレイスピーカの音響ビームが形成されるようにしたことを特徴とする浴室音響システム。
【請求項２】
入浴者が浴槽内に在ることを検出する感知センサーを設け、該感知センサーの出力信号にもとづいてアレイスピーカ装置の音響ビームの形成方向が変更されるようにしたことを特徴とする請求項１記載の浴室音響システム。
【請求項３】
シャワー浴が行われていることを検出してアレイスピーカ装置の音響ビームが洗い場側に形成されるようにしたことを特徴とする請求項１記載の浴室音響システム。
【請求項４】
噴流浴を開始するためのスイッチが作動されたことを検出してアレイスピーカ装置の音響ビームが浴槽側に形成されるようにしたことを特徴とする請求項１記載の浴室音響システム。
【発明の詳細な説明】
【技術分野】
【０００１】
本発明は、マンション、戸建て住宅、ホテルなどにおいて構築されるユニットバスに設置する音響システムに関するものであり、入浴騒音の影響を受けることなく明瞭に再生音を聴取できるようにしたものである。
【背景技術】
【０００２】
ユニットバスの室内で音楽を再生してリラクゼーショク効果などが得られるようにし、入浴時の快適性を向上するようにした浴室音響システムが既に知られており（例えば、特許文献１）、図１０にかかるシステムの従来の構成を示す。
【０００３】
同図において、浴室１は、防水パン２と４枚の壁パネル３ａ〜３ｄ（壁パネル３ｄは図示省略）と、ドーム形状の天井パネル４によって箱状に構築されている。防水パン２上には、壁パネル３ｂ側に浴槽５が配置されるとともに、壁パネル３ｃ側には洗い場６が形成されるようにしている。また、浴槽５の長手方向奥部のフランジには蛇口７および水洗金具８が配設され、洗い場６の奥部にはカウンター９が配設される。そして、このカウンター９の上方の壁パネル３ａには混合水洗金具１０が配設され、この混合水洗金具１０にシャワーホース１１ａで接続されたシャワーヘッド１１が同壁パネル３ａに固定されたフックに配設される。
【０００４】
前記天井パネル４は略円弧状に形成され、その曲線方向が長手方向に沿うとともに、左右両側に上端部側が下端部に対してやや幅狭となるごとく傾斜した側壁４ａがそれぞれ一体成形されている。そして、前記側壁４ａの奥部側には防水スピーカ１２・１３が左右対称状態で取り付けられている。一方、浴槽５の洗い場６側のエプロン５ａの裏面には低音再生用のアクチュエータ１４が固定されており、エプロン５ａを振動板として機能させ、低音の再生が可能となるようにしている。
【０００５】
以上のように構成されたユニットバスの前記防水スピーカ１２・１３およびアクチュエータ１４は、防水パンや壁パネルの外壁面に引き回したスピーカコード１５ａ〜１５ｃによりオーディオアンプ１６に接続される。これにより、ＣＤプレーヤなどから入力された音楽ソースを浴室１内で再生することが可能となり、入浴中に音楽などを鑑賞することができる。
【特許文献１】特開２００１−１６０９９４号公報
【発明の開示】
【発明が解決しようとする課題】
【０００６】
以上のように構成された従来の浴室音響システムでは、防水スピーカは通常、天井付近に配設されており、再生音は室内下方へ向けて放射されるため、浴槽内でリラックスした状態で入浴しているような場合は、音質が損なわれることなく再生音を聴取することができる。しかしながら、洗い場でシャワーを使用している場合、あるいは浴槽に入浴中であっても、噴流浴（ジェットバス）を行っている場合は、入浴騒音が格段に大きくなり、再生音の聴取の大きな妨げとなる。
【０００７】
通常、再生音に対し入浴騒音の音圧レベルは格段に大きく、浴室内に再生音と入浴騒音が混在すると、再生音が入浴騒音でマスキングされる状態となる。したがって、このような状態においては、入浴者は意識を強く働かせて再生音のみを聴取しようとするのであるが、音楽を楽しむというような心理的状態は減退してしまうことになる。かかる状態を少しでも解決する手段は、単に再生音の音量を大きくすることに尽きるが、この場合は、浴室内の再生音が室外に漏れ、騒音の原因となる問題があった。
【０００８】
本発明はこのような従来の問題に鑑みなされたもので、噴流浴あるいはシャワーを使用しているような入浴騒音の存在する浴室においても再生音の入浴者による聴取を可及的に向上できるようにすることを目的とするものである。
【課題を解決するための手段】
【０００９】
そこで本発明は、以下に述べる各手段により上記課題を解決するようにした。即ち、請求項１記載の発明では、防水パン上に複数の壁パネルおよび天井パネルを組み立てて構築されるユニットバスに設置する音響システムであり、複数のスピーカユニットを所定の間隔に配列したアレイスピーカ装置を前記ユニットバスの壁面に配設し、浴室内の入浴者が在する位置に向けて前記アレイスピーカ装置の音響ビームが形成されるようにする。
【００１０】
請求項２記載の発明では、上記請求項１記載の発明において、入浴者が浴槽内に在ることを検出する感知センサーを設け、該感知センサーの出力信号にもとづいてアレイスピーカ装置の音響ビームの形成方向が変更されるようにする。
【００１１】
請求項３記載の発明では、上記請求項１記載の発明において、シャワー浴が行われていることを検出してアレイスピーカ装置の音響ビームが洗い場側に形成されるようにする。
【００１２】
請求項４記載の発明では、上記請求項１記載の発明において、噴流浴を開始するためのスイッチが作動されたことを検出してアレイスピーカ装置の音響ビームが浴槽側に形成されるようにする。
【発明の効果】
【００１３】
本発明によれば、噴流浴あるいはシャワーを使用しているような入浴騒音の存在する浴室においても入浴者が明瞭に再生音を聴取でき、音響効果の優れた浴室音響システムを提供することができる。
【発明を実施するための最良の形態】
【００１４】
以下、本発明の実施の形態を図にもとづいて詳細に説明する。なお、従来と同一の構成については同一の符号を付してその具体的な説明を省略する。
【００１５】
図１は、本発明の浴室音響システムを実施して構築されたユニットバスであり、同図に示す構成では、防水パン２上に立設された壁パネル３ａ〜３ｃ上に天井パネル４が配設され浴室１が形成される。防水パン２上には、壁パネル３ｂ側に浴槽５が配設されるとともに、壁パネル３ｃ側には洗い場６が形成される。また、浴槽５の長手方向奥部のフランジには蛇口７および水洗金具８が配設され、洗い場６の奥部にはカウンター９が配設される。そして、このカウンター９の上方の壁パネル３ａには混合水洗金具１０が配設され、この混合水洗金具１０にシャワーホース１１ａで接続されたシャワーヘッド１１が同壁パネル３ａに固定されたフックに配設される。
【００１６】
さらに、壁パネル３ａには、アレイスピーカ装置２０が配設される。このアレイスピーカ装置は、音響ビームの指向角を可変制御できることを大きな特徴とするもので、図２に示すように、長方形状のエンクロージャに複数（ｎ個）のスピーカユニット２１（２１−１〜２１−ｎ）をライン状に配列して構成されたものである。各スピーカユニット２１の間隔ｄおよびアレイの長さＬは音響ビームをコントロールするオーディオ周波数帯域に合わせて設定する。
【００１７】
図３は、前記のように構成されたアレイスピーカ装置２０により形成される音響ビームＳＢの形状の例を示すもので、ライン状に配列された各スピーカユニット２１−１〜２１−ｎに対して同じオーディオ信号を適当な位相差で入力すると、平面上では同図に示すように、波面がビーム状に絞り込まれて特定の方向のみに伝搬する。また、複数のオーディオ信号を合成して各スピーカユニット２１−１〜２１−ｎに入力するようにすれば、それぞれのオーディオ信号に基づく音響ビームＳＢを個々の方向に形成されるようにすることができる。
【００１８】
図４は、上記のように構成されたアレイスピーカ装置２０をドライブするオーディオ再生装置の一例を示すもので、このオーディオ再生装置は、オーディオソースをデコードするデコーダ２２、各チャンネルの音像定位、即ち、音響ビームＳＢの形成方向を制御する定位制御部２３、この定位を実現すべく各チャンネルのオーディオソースの音響ビームＳＢの方向・レベルを制御するビーム制御部２４、および、アレイスピーカ装置２０の各スピーカユニット２１−１〜２１−ｎを駆動するためのオーディオ回路部２５からなる。
【００１９】
前記定位制御部２３は、マイクロコンピュータなどを主体に構成されており、各チャンネルのオーディオ信号をどの位置で音像定位させるか、その音像定位のためにどの位置に仮想音源を設定するか、その仮想音源の設定のためにどの方向に音響ビームＳＢを制御するか、および、この音響ビームＳＢを形成するために各スピーカユニット２１−１〜２１−ｎに入力するオーディオ信号のゲインおよびディレイをどの程度に設定するかを決定し、ビーム制御部２４に出力する。
【００２０】
図５は、ビーム制御部２４の機能構成を示すもので、このビーム制御部２４には複数のビーム制御ユニット２４−１〜２４−ｎが設けられ、各ビーム制御ユニット２４−１〜２４−ｎには、ディレイ回路２４０、および各スピーカユニット２１−１〜２１−ｎに対応するｎ個の係数乗算部２４１・２４２が設けられている。前記ディレイ回路２４０のタップ位置および係数乗算部２４１・２４２の係数は、定位制御部２３から入力され、このディレイ回路２４０のタップ位置により音響ビームＳＢの角度が決定される。係数乗算部２４１には、ディレイによる各スピーカユニット２１−１〜２１−ｎの音量のずれをキャンセルして音響ビームＳＢのバランスを維持するための係数が入力される。また、係数乗算部２４２には、音響ビームＳＢのサイドローブをキャンセルするための窓関数（ハミング窓、ハニング窓など）が入力される。
【００２１】
各チャンネルのビーム制御ユニット２４−１〜２４−ｎの出力は、加算器２４３により各スピーカユニット毎に加算され、オーディオ回路部２５に出力される。このオーディオ回路部２５は、各スピーカユニット２１−１〜２１−ｎに対応する数のＤ／Ａコンバータ２５０およびオーディオアンプ２５１を備える。Ｄ／Ａコンバータ２５０には、ビーム制御部２４から各スピーカユニット２１−１〜２１−ｎに出力するデジタルオーディオ信号が入力される。このディジタルオーディオ信号はアナログオーディオ信号に変換され、オーディオアンプ２５１に入力する。オーディオアンプ２５１で増幅されたオーディオ信号は、各スピーカユニット２１−１〜２１−ｎを駆動して音響出力が得られる。
【００２２】
以上に説明した本発明のシステムの各構成要素は図１に示すように配設される。即ち、定位制御部２３には、感知センサー（赤外線センサーなど）３１を備え、浴槽５内に入浴者が在るとき、これを感知した信号を入力する。また、シャワー浴が開始されたとき、シャワーヘッド１１から浴湯が吐出されていることを混合水洗金具１０に備えたスイッチにより検出し、その信号を入力する。さらに、噴流浴を開始するためのスイッチ３０がＯＮされると、その信号を入力する。
【００２３】
本発明は、以上のように構成されているため、前記各信号が定位制御部２３に入力すると、これにもとづいてビーム制御部２４へ音響ビームの形成方向を指示する信号が入力される。ビーム制御部２４は定位制御部２３から信号を入力すると、オーディオ回路２５へ制御信号を送出し、オーディオ回路２５はこの信号にもとづいてアレイスピーカ装置２０の各スピーカユニット２１−１〜２１−ｎを個々に制御して駆動するアナログオーディオ信号を送出する。
【００２４】
図６および図７は、前記感知センサー３１により入浴者Ｈの移動を感知して音響ビームＳＢの形成方向を制御するようにしたもので、浴槽５内に在る入浴者Ｈを図６に示すように感知センサー３１で感知した信号が定位制御部２３へ入力する。この定位制御部２３では入力した信号が入浴者Ｈを感知した信号であると判断し、これにもとづいて送出される信号によりビーム制御部２４を作動して出力される制御信号でオーディオ回路２５を作動することにより、図６に示すように音響ビームＳＢが浴槽５内の入浴者Ｈに向けて形成される。これにより、アレイスピーカ装置２０による再生音の音響エネルギーが入浴者Ｈに集中するので、噴流浴を行っても再生音を明瞭に聴取することができる。
【００２５】
また、入浴者Ｈが浴槽５から洗い場６へ移動すると、感知センサー３１による入浴者Ｈを感知しないことにもとづく信号が定位制御部２３へ入力する。この定位制御部２３では入力した信号が入浴者Ｈを感知していない信号であると判断し、これにもとづいて送出される信号によりビーム制御部２４を作動して出力される制御信号でオーディオ回路２５を作動することにより、図７に示すように音響ビームＳＢが洗い場６へ移動した入浴者Ｈに向けて形成される。これにより、アレイスピーカ装置２０による再生音の音響エネルギーが入浴者Ｈに集中するので、シャワー浴を行っても再生音を明瞭に聴取することができる。
【００２６】
図８は、シャワー浴が開始されたとき、これを検知して本発明のシステムが機能するようにしたもので、シャワーヘッド１１から浴湯が吐出されていることを混合水洗金具１０に備えたスイッチにより検出し、その信号が定位制御部２３へ入力する。この定位制御部２３では入力した信号がシャワー浴が開始されたことを示す信号であると判断し、これにもとづいて送出される信号によりビーム制御部２４を作動して出力される制御信号でオーディオ回路２５を作動することにより、図８に示すように音響ビームＳＢが洗い場６の入浴者Ｈに向けて形成される。これにより、アレイスピーカ装置２０による再生音の音響エネルギーが入浴者Ｈに集中するので、シャワー浴を行っていても再生音を明瞭に聴取することができる。
【００２７】
図９は、噴流浴を行うためのスイッチ３０がＯＮされたとき、これを検知して本発明のシステムが機能するようにしたもので、前記スイッチ３０がＯＮされたときの信号が定位制御部２３へ入力する。この定位制御部２３では入力した信号が噴流浴が開始されたことを示す信号であると判断し、これにもとづいて送出される信号によりビーム制御部２４を作動して出力される制御信号でオーディオ回路２５を作動することにより、図９に示すように音響ビームＳＢが浴槽５内の入浴者Ｈに向けて形成される。これにより、アレイスピーカ装置２０による再生音の音響エネルギーが入浴者Ｈに集中するので、噴流浴を行っても再生音を明瞭に聴取することができる。
【００２８】
以上説明したように本発明によれば、入浴者の方向へ音響ビームを形成するようにしたので、シャワー浴、噴流浴などにより騒音が発生しても音量を大きくすることなく再生音を明瞭に聴取することができる。なお、本発明のシステムを実装した場合、アレイスピーカ装置により通常の多チャンネルサラウンド再生も可能となり、浴室が反射率の高い壁パネルで囲まれていることから、より効果的な立体音響の聴取が可能となる。
【図面の簡単な説明】
【００２９】
【図１】本発明の浴室音響システムの構成を示す図である。
【図２】本発明の浴室音響システムに採用するアレイスピーカ装置を示す図である。
【図３】アレイスピーカ装置による音響ビームの形成状態を示す図である。
【図４】アレイスピーカ装置を駆動するオーディオ再生装置のブロック図である。
【図５】オーディオ再生装置におけるビーム制御部の機能ブロック図である。
【図６】感知センサーを採用して本発明を構成した例を示す図である。
【図７】感知センサーを採用して本発明を構成した例を示す図である。
【図８】シャワー浴において本発明が機能する状態の例を示す図である。
【図９】噴流浴において本発明が機能する状態を示す例を示す図である。
【図１０】従来の浴室音響システムの構成を示す図である。
【符号の説明】
【００３０】
１・・・・・・・浴室
２・・・・・・・防水パン
３ａ〜３ｂ・・・壁パネル
４・・・・・・・天井パネル
５・・・・・・・浴槽
６・・・・・・・洗い場
７・・・・・・・蛇口
８・・・・・・・水洗金具
９・・・・・・・カウンター
１０・・・・・・混合水洗金具
１１・・・・・・シャワーヘッド
２０・・・・・・アレイスピーカ装置
２１・・・・・・スピーカユニット
２２・・・・・・デコーダ
２３・・・・・・定位制御部
２４・・・・・・ビーム制御部
２５・・・・・・オーディオ回路部
３０・・・・・・スイッチ
３１・・・・・・感知センサー
ＳＢ・・・・・・音響ビーム
Ｈ・・・・・・・入浴者
【図１】
2007189608.tif 000003
【図２】
2007189608.tif 000004
【図３】
2007189608.tif 000005
【図４】
2007189608.tif 000006
【図５】
2007189608.tif 000007
【図６】
2007189608.tif 000008
【図７】
2007189608.tif 000009
【図８】
2007189608.tif 000010
【図９】
2007189608.tif 000011
【図１０】
2007189608.tif 000012